(57)【要約】  組成物はポリオール系布地ケア物質類、特にエステル化された糖類を含む。組成物は更に付着剤類、分散媒質、及び任意で補助剤成分類を含む。本発明の組成物は、布地を処理して以下の効果のうちの１以上を提供するために使用される：布地柔軟性、乾燥後の皺の減少、アイロンがけのし易さ、着用時の形状の保持、布地弾性、布地引張り強さ、布地引き裂き強さ、及び色の保護。組成物を含有する種々の製品及び組成物を用いるための方法もまた開示されている。【特許請求の範囲】
【請求項１】
（ａ）ポリオール系布地ケア物質；
（ｂ）Ｉ）非四級窒素含有化合物類、ＩＩ）非多糖ポリクアテルニウム類及びその他の高分子カチオン性四級物質類、及びこれらの混合物から成る群から選択される付着剤；並びに
（ｃ）分散媒質、
を含む布地ケア組成物。
【請求項２】
前記ポリオール系布地ケア物質は次式を有し：
Ｍ（ＯＨ）ｗ−ｓＱｓ
式中、Ｍ（ＯＨ）ｗはポリオールであり；前記ポリオールの分子量は１５０〜５０，０００ダルトンであり；
Ｑは−ＯＣ（Ｏ）Ｒ１、−ＯＲ２、−Ｒ３、−ＬＲ４、−Ｘ、−Ｆ、−Ｃｌ、−Ｂｒ、及びこれらの混合物から成る群から選択される置換基であり；
Ｒ１、Ｒ２、Ｒ３及びＲ４は独立して、直鎖又は分枝鎖、環式又は非環式、飽和又は不飽和、置換又は非置換のＣ１〜Ｃ２２アルキル又はＣ１〜Ｃ３０アルコキシから選択される部分であり；
ＬはＯ、Ｓ、Ｎ、及びＰから選択される結合部であり；
Ｘは、独立してＯ、Ｎ、Ｓ、Ｐ、及びＳｉから選択されるヘテロ原子を有する、３〜８員の複素環式部分であり；
ｗは２〜１０００から選択される整数であり；並びに
ｓは整数であり及びｓ≦ｗである、請求項１に記載の組成物。
【請求項３】
前記ポリオール系布地ケア物質は次式を有するスクロースエステルであり：
Ｍ（ＯＨ）８−ｘ（ＯＣ（Ｏ）Ｒ１）ｘ
式中、Ｍ（ＯＨ）８はスクロースであり；
ｘは１〜８から選択される整数であり；
Ｒ１は独立して、直鎖又は分枝鎖、環式又は非環式、飽和又は不飽和、置換又は非置換のＣ１〜Ｃ２２アルキル又はＣ１〜Ｃ３０アルコキシから選択される、請求項１又は２に記載の組成物。
【請求項４】
前記ポリオール系布地ケア物質は１〜１５０のＩＶ値を有するスクロースエステルである、請求項１〜３のいずれか一項に記載の組成物。
【請求項５】
前記不飽和Ｒ１部分は、不飽和結合の周りに「シス」及び「トランス」形態の混合物を含み、及びシス／トランス比が１：１〜５０：１の範囲である、請求項１〜４のいずれか一項に記載の組成物。
【請求項６】
前記付着剤は、（ａ）主鎖に若しくはペンダント基に窒素部分を有する非環式ポリマー類若しくはコポリマー類、又は（ｂ）ペンダント基に窒素複素環を有するビニルポリマー類若しくはコポリマー類、及びこれらの混合物、から成る群から選択される、請求項１〜５のいずれか一項に記載の組成物。
【請求項７】
前記付着剤は、ポリビニルアミン、ポリエチレンイミン、ポリアミド−ポリエチレンイミン、エトキシル化ポリエチレンイミン、ポリアクリルアミド、ポリ（２−ジメチルアミノエチルメタクリレート）、ポリアミノ酸、ポリリシンアミノカプロン酸誘導体類、及びこれらの混合物から成る群から選択される、請求項１〜６のいずれか一項に記載の組成物。
【請求項８】
前記付着剤は、ポリビニルピロリドン、ポリビニルピリジン−Ｎ−オキシド、ポリビニルピロリドンビニルイミダゾール、ビニルピロリドン及びジメチルアミノエチルメタクリレートのコポリマー、及びこれらの混合物、から成る群から選択される、請求項１〜７のいずれか一項に記載の組成物。
【請求項９】
前記付着剤は、ポリクアテルニウム２、ポリクアテルニウム６、ポリクアテルニウム７、ポリクアテルニウム１１、ポリクアテルニウム１６、ポリクアテルニウム１７、ポリクアテルニウム１８、ポリクアテルニウム２２、ポリクアテルニウム２８、カチオン性ポリアクリルアミド、ポリ（２−アクリロイルオキシエチル）トリメチルアンモニウムカチオン、ポリメチルアクリルアミドプロピルトリメチルアンモニウムカチオン、ポリアミドとポリエーテルとポリエチレンイミンとのコポリマー類、及びこれらの混合物から成る群から選択される、請求項１〜８のいずれか一項に記載の組成物。
【請求項１０】
前記分散媒質は、水、又はＣ４〜Ｃ１０グリコールエーテル類、Ｃ２〜Ｃ７グリコール類、ポリエーテル類、及びこれらの混合物から成る群から選択される水溶性溶媒である、請求項１〜９のいずれか一項に記載の組成物。
【請求項１１】
前記組成物は、湿潤剤、乳化剤、エマルション安定化剤、粘度変性剤、ｐＨ緩衝剤、抗菌剤、酸化防止剤、ラジカルスカベンジャー、キレート剤、消泡剤、柔軟化剤、香料、及びこれらの混合物、から成る群から選択される１以上の補助剤物質を更に含む、請求項１〜１０のいずれか一項に記載の組成物。
【請求項１２】
前記組成物は、
組成物の１重量％〜７０重量％のポリオール系布地ケア物質；組成物の０．１重量％〜２０重量％の付着剤；組成物の３０重量％〜９８重量％の分散媒質；及び組成物の０重量％〜３０重量％の補助剤物質、
を含む、請求項１〜１１のいずれか一項に記載の組成物。
【請求項１３】
前記組成物は、柔軟化剤、乳化剤、香料、粘度変性剤、及びこれらの混合物から成る群から選択される補助剤物質を含む、請求項１〜１２のいずれか一項に記載の組成物。
【請求項１４】
前記組成物は、０．００１Ｐａ・ｓ〜２Ｐａ・ｓの粘度を有する、請求項１〜１３のいずれか一項に記載の組成物。
【請求項１５】
布地物品を請求項１〜１４のいずれか一項に記載の組成物と接触させる工程を含む、布地物品を処理する方法。
【請求項１６】
前記接触工程は、洗浄サイクル時、すすぎサイクル時、乾燥サイクル時、及びこれらの組み合わせ中に起こる、請求項１〜１５のいずれか一項に記載の方法。
【請求項１７】
請求項１〜１４に記載の組成物及びキャリア基材を含む製品。
【請求項１８】
請求項１〜１４の組成物及び水溶性フィルムを含む物品又は製造。
【請求項１９】
製品が９５℃より高い融解温度又は軟化温度を有するように、請求項１〜１４に記載の組成物及び効果的な量のキャリア材料を含む前記製品。
【発明の詳細な説明】
【技術分野】
【０００１】
本発明はポリオール系布地ケア物質類及び付着剤類を含む組成物に関する。組成物は、処理された布地が以下の効果のうちの１以上を示すように布地を処理するために使用される：改善された布地柔軟性、乾燥後の皺の減少、アイロンがけのし易さ、着用時の形状の保持、布地弾性、布地引張り強さ、布地引き裂き強さ、及び色の保護の提供。組成物を含有する種々の製品及び組成物を用いるための方法もまた開示されている。
【背景技術】
【０００２】
布地柔軟化組成物を包含する布地ケア組成物は、典型的な洗濯処理過程のすすぎサイクル時又は乾燥サイクル時に洗濯される布地に改善された柔軟性及びおろしたての感じ（freshness）を提供するために使用されることができる。すすぎサイクル時に使用される場合は、布地ケア組成物は典型的に液体組成物の形態である。乾燥サイクル時に使用される場合は、布地ケア組成物は典型的に、不織布基材上に組み込まれた固体又は半固体組成物の形態である。
【０００３】
最も一般的な布地ケア組成物は、布地柔軟化、布地潤滑化、布地弛緩（fabric relaxation）、皺の減少、アイロンがけのし易さ、磨耗耐性、布地平滑化、静電気の減少及び香り付けのような様々な程度の効果を提供することができる。布地ケア組成物中の一般的な布地ケア物質類は、ジエステル四級アンモニウム化合物類（ＤＥＱＡ）のようなアルキル変性四級アンモニウム化合物類（「アルキルクワット類（alkyl quats）」としても知られている）、ポリ四級アンモニウム化合物類；カルボン酸でエステル化され及び四級化されたトリエタノールアミン（「エステルクワット（esterquat）」としても知られている）；アミノエステルクワット類、カチオン性ジエステル類；ベタインエステル類；ベタイン類である。更なる活性物質類としては、アミノシリコーン類、カチオン性シリコーン類、クワット（quat）／シリコーン混合物類；官能化ＰＤＭＳを含むシリコーン類又はシリコーンエマルション類が挙げられる。柔軟であるが脂っぽい感触、減少された吸水性、経時による黄ばみを包含する特定の欠点は、これらの活性物質類で処理された布地に関連している。加えて、これらの活性物質類の幾つかは、生分解性及び毒性の分野で望ましい特性を有していない。
【０００４】
布地ケア組成物の開発においては、処理された布地が所望の布地ケア効果を示すような活性物質類の適切な機能に主に焦点が当てられている。すすぎを介しての適用は、すすぎ媒体から布地への効果的な付着の分野で更なる課題を提起する。幾つかの場合には、カチオン性部分及び長いアルキル鎖を有する布地ケア活性物質類（例えばアルキルクワット類（alkyl quats））が洗浄サイクルからすすぎサイクルへと持ち込まれる特定の洗剤構成成分類（例えばアニオン性界面活性剤）に対し非常に反応し易い（sensitive）ことが分かっている。アニオン性洗剤構成成分類はカチオン性布地ケア活性物質類と相互作用して、すすぎ媒体から沈殿し及び／又は柔軟化活性物質類を中和する可能性があるカチオン−アニオン錯体類を形成する場合があると仮定され、前者は布地への付着を減少させ、及び後者は布地ケア活性物質類の効果を減少させる。
【０００５】
植物／農作物源類由来の活性物質類を含む布地ケア組成物が開示されてきた。天然由来の布地ケア活性物質類の例としては、糖及び植物油誘導体類が挙げられる。これらの天然源類から誘導される布地ケア活性物質類は、アルキルクワット類（alkyl quats）、エステルクワット類（ester quats）、シリコーン類などの石油由来の布地ケア活性物質類よりも環境に優しく、費用効率がよいと考えられている。布地への効果的な付着を確実にするために、これらの布地ケア活性物質類は他の補助活性物質類（co-actives）又は付着剤類と組み合わせて使用されてもよい。天然由来の布地ケア活性物質類及び付着助剤類を含む代表的な組成物は、ＧＢ１６０１３５９；米国特許第５，４４７，６４３号；米国特許第５，４９８，３５０号：米国特許第６，４１０，５０１号；米国特許第６，４３６，８９６号；米国特許第６，５１４，９３１号；ＰＣＴ国際公開特許ＷＯ９８／１６５３８；ＰＣＴ国際公開特許ＷＯ０１／０３４３１５；及びＰＣＴ国際公開特許ＷＯ９８／１６５３８に開示されている。
【発明の開示】
【発明が解決しようとする課題】
【０００６】
効果的な付着及び高められた布地ケア効果を送達する布地ケア組成物を改善するために、ことが引き続き必要とされている。特に洗浄サイクル及び／又はすすぎサイクル時に付着することを必要とする洗濯用途のための、布地ケア組成物を開発することもまた、引き続き必要とされている。植物系布地ケア活性物質類のために好適な効果的な付着剤類を含む布地ケア組成物を開発することが更に必要とされている。
【課題を解決するための手段】
【０００７】
本発明の一態様は以下を含む布地ケア組成物に関する：
（ａ）ポリオール系布地ケア物質；
（ｂ）Ｉ）非四級窒素含有化合物類、ＩＩ）非多糖ポリクアテルニウム類及びその他の高分子カチオン性四級物質類、及びこれらの混合物から成る群から選択される付着剤；並びに
（ｃ）分散媒質。
【０００８】
本発明の別の態様は布地ケア組成物及びキャリア基材を含む製品に関する。
【０００９】
本発明の別の態様は、製品が９５℃より高い融解温度又は軟化温度を有するように、布地ケア組成物及び効果的な量のキャリア材料を含む前記製品に関する。
【００１０】
本発明の他の態様は、布地を処理して、布地柔軟化、布地潤滑化、布地弛緩、持続的プレス、皺防止、皺減少、アイロンがけのし易さ、磨耗耐性、布地平滑化、耐縮充性、耐ピリング性、パリパリ感、外観の向上、外観の復活、色の保護、色の復活、耐収縮性、着用時の形状の保持、布地弾性、布地引張り強さ、布地引き裂き強さ、静電気減少、吸水性又は撥水性、染みをはじく性質、清涼化、抗菌性、臭気防止から成る群から選択される１以上の効果を提供するための方法に関する。本方法は布地を効果的な量の本発明の布地ケア組成物と接触させる工程を含み、前記接触工程は、洗浄サイクル時、すすぎサイクル時、乾燥サイクル時、及びこれらの組み合わせ中に起こることができる。
【００１１】
本発明の別の態様では、布地柔軟化、布地潤滑化、布地弛緩、持続的プレス、皺防止、皺減少、アイロンがけのし易さ、磨耗耐性、布地平滑化、耐縮充性、耐ピリング性、パリパリ感、外観の向上、外観の復活、色の保護、色の復活、耐収縮性、着用時の形状の保持、布地弾性、布地引張り強さ、布地引き裂き強さ、静電気減少、吸水性又は撥水性、染みをはじく性質、清涼化、抗菌性、臭気防止から成る群から選択される１以上の布地ケア効果を提供するための本組成物及び／又は製品の使用に関する。
【発明を実施するための最良の形態】
【００１２】
定義
本明細書で使用するとき、「布地物品」は、布地類及び／又は繊維類で構成される物品を意味する。このような物品類としては、限定するものではないが、衣類、タオル類及び他のバスリネン類、ベッドリネン類、テーブルクロス類、カーペット類、カーテン類、室内装飾用品用カバー類、寝袋類、テント類、靴類、並びに車内装飾（車座席カバー類、車床マット類など）が挙げられる。
【００１３】
本明細書で使用するとき、「布地ケア活性物質」とは、以下の効果のうち１以上を布地物品に送達することができる物質又は物質類の組み合わせを意味する：布地柔軟化、布地潤滑化、布地弛緩、持続的プレス、皺防止、皺減少、アイロンがけのし易さ、磨耗耐性、布地平滑化、耐縮充性、耐ピリング性、パリパリ感、外観の向上、外観の復活、色の保護、色の復活、耐収縮性、着用時の形状の保持、布地弾性、布地引張り強さ、布地引き裂き強さ、静電気減少、吸水性又は撥水性、染みをはじく性質、清涼化、抗菌性、臭気防止、及びこれらの混合。
【００１４】
本明細書で使用するとき、用語「布地ケア物質」、「布地ケア活性物質」及び「有益剤」は、同義語である。
【００１５】
本明細書で使用するとき、「布地処理組成物」は、１以上の布地ケア物質類、若しくは１以上の香料物質類、又はこれらの組み合わせを含む組成物を意味する。処理組成物の好適な形態としては、溶液類、エマルション類又は懸濁物類のような液体類、粒子類、粉末類、錠剤類又はバー類のような固体類が挙げられる。
【００１６】
本明細書で使用するとき、用語「布地処理組成物」、「布地ケア組成物」及び「有益組成物」は、同義語である。
【００１７】
本明細書で使用するとき、「付着剤類」は、所望の効果を提供するように布地ケア物質類の布地物品への付着を高め又は可能にする物質類である。「付着剤類」は、四級化されたアミン類によってカチオン変性されることによって「永久的な」カチオン性電荷（１又は複数）を保持するか、又は使用媒質中で、化合物類中に存在する窒素原子のプロトン化を通してカチオン性電荷（１又は複数）又は極性を保持できる能力のある、化学物質類又は化合物類であることができる。
【００１８】
本明細書で使用するとき、ポリマーの「分子量」とは、ゲル浸透クロマトグラフィー（ＧＰＣ）により測定される、重量平均分子量を意味する。
【００１９】
本明細書で使用するとき、冠詞「ａ」及び「ａｎ」は、特許請求の範囲で使用されるときには、請求又は記載される１以上の物質を意味するものと理解される。
【００２０】
特に指示のない限り、パーセンテージ及び割合は、すべて組成物の総重量に基づいて計算される。
【００２１】
特に記載のない限り、構成成分又は組成物の濃度はすべて、当該構成成分又は組成物の活性レベルに関するものであり、市販の供給源類に存在し得る不純物類、例えば残留溶媒類又は副生成物類は除外される。
【００２２】
布地処理組成物及び製品
本発明の布地処理組成物はポリオール系布地ケア物質、付着剤、分散媒質、及び任意で、（布地ケア活性物質類及び補助剤物質類のような）１以上の補助物質類を含む。
【００２３】
一実施形態では、布地処理組成物は、ポリオール系布地ケア物質、特にスクロースエステル類のようなエステル化された糖類；カチオン変性された又は使用媒質中でプロトン化されるか若しくはカチオン電荷を帯びることができるポリマー類のような付着剤；水、アルコール類、ジオール類のような分散媒質；及び任意で、柔軟化剤類、香料類、湿潤剤類、乳化剤類、エマルション安定化剤類、粘度変性剤類、ｐＨ緩衝剤類、抗菌剤類、酸化防止剤類、ラジカルスカベンジャー類、キレート剤類、消泡剤類、及びこれらの混合物から成る群から選択される１以上の補助物質類を含む。
【００２４】
別の実施形態では、布地処理組成物は、組成物の約１重量％〜約７０重量％のポリオール系布地ケア物質、組成物の約０．１重量％〜約２０重量％の付着剤、組成物の約３０重量％〜約９８重量％の分散媒質、及び任意で、残部の１以上の補助剤物質類を含む。
【００２５】
別の実施形態では、布地処理組成物は、重量比が約１０００：１〜約１：２０、好ましくは約１００：１〜約１：１、より好ましくは約１０：１〜約２：１の範囲であるポリオール系布地ケア物質及び付着剤を含む。
【００２６】
別の実施形態では、布地処理組成物は、組成物の約１重量％〜約７０重量％のポリオール系布地ケア物質、組成物の約０．１重量％〜約２０重量％の付着剤、及び組成物の約３０重量％未満の分散媒質、及び任意で、残部の１以上の補助剤物質類を含む固体又は半固体であってもよい。別の実施形態では、分散媒質は、組成物の約０．０１重量％〜約１０重量％、又は約０．１重量％〜約５重量％を構成する。
【００２７】
本組成物は、液体又は固体とすることができ、好ましくは液体組成物である。本発明の液体組成物は、透明又は不透明（分散体類又はエマルション類）とすることができる。本組成物は、１回用量の形態で、例えば、水溶性フィルム（例えば、ポリビニルアルコールフィルム）中に含有される液体組成物として、又は、固体錠剤１回用量の形態として提供することもできる。代表的な水溶性フィルム類及びパウチ製品類は、米国特許第４，９７３，４１６号（ケネディー（Kennedy））；米国特許ＵＳ２００３／０，０５０，２０８Ａ１（デュクエスト（Duquest）ら）；及び米国特許ＵＳ２００３／０，１１４，３３２Ａ１（ラムシャラン（Ramcharan）ら）に記載されている。
【００２８】
本組成物はまた、洗濯処理過程において、ハンドポンプ、圧搾ボトル、圧搾チューブ、バー類、顆粒類、粒子類、又は添加装置を用いて又は添加装置を用いずに洗浄液又はすすぎ液中に分散させることができる他の形態のような他の手段によって投入されることができる。
【００２９】
本発明の液体組成物は、容器から手で注ぐことによって使用することができ、典型的には、約０．００１Ｐａ・ｓ（１ｃｐｓ）〜約２Ｐａ・ｓ（２０００ｃｐｓ）、好ましくは約０．５Ｐａ・ｓ（５００センチポアズ）未満、より好ましくは約０．２Ｐａ・ｓ（２００センチポアズ）未満、更により好ましくは約０．１２Ｐａ・ｓ（１２０センチポアズ）未満の範囲の粘度を有する。本発明の目的では、本組成物の粘度は、２５℃で、ブルックフィールド（Brookfield）（登録商標）粘度計を用い、２番のスピンドルを使用して６ｒａｄ／秒（６０ｒｐｍ）で測定される。
【００３０】
本発明の組成物は、一般に、約２〜約９、好ましくは約２〜約８、より好ましくは約２〜約７のｐＨを有する。
【００３１】
本発明の組成物は、洗濯処理過程の洗浄サイクル、すすぎサイクル、及び／又は乾燥サイクル時に布地を処理するために使用することができる。
【００３２】
本発明はまた、布地ケア組成物及び、前記布地ケア組成物を自動洗濯物乾燥機中に放出できる基材を含む製品に関する。好適な基材類としては、ポリオレフィン繊維類若しくはセルロース繊維類の織布又は不織布ウェブ類で構成される可撓性基材類が挙げられる。これらの基材類はしばしば「乾燥機シート類」と称される。布地ケア組成物は、約０．１ｇ〜約１００ｇ、又は約０．１ｇ〜約２０ｇ、又は約０．１ｇ〜約１０ｇの範囲の量で基材類に付着されるか又は他の態様で基材類中に組み込まれてよい。布地ケア組成物を含有する代表的な乾燥機シートは米国特許第３，４４２，６９２号（ガイザー（Gaiser））；米国特許第３，６８６，０２５号（モートン（Morton））、米国特許第４，８３４，８９５号（クック（Cook）ら）；米国特許第５，０４１，２３０号（ボルヒャー，Ｓｒ（Borcher, Sr.）ら）；及び米国特許第５，１４５，５９５号（モリス（Morris）ら）に記載されている。
【００３３】
本発明の布地ケア組成物はまた、自動洗濯物乾燥機の運転温度よりも高い（典型的には９０℃よりも高い）融解温度又は軟化温度を有する布地コンディショニング製品を形成するように効果的な量のキャリア材料と組み合わせることもできる。布地コンディショニング製品の融解温度又は軟化温度は９５℃よりも高い、又は１００℃よりも高い、又は１２０℃よりも高い温度とすることができ、及びその製品の融解温度は２００℃よりも低い温度とすることができる。布地コンディショニング製品の融解温度は、製品が流動可能な液体となる温度であり、融解温度は示差走査熱量計（ＤＳＣ）によって又は目視観測によって決定できる。軟化温度は、製品が容易に変形可能となる温度であり、軟化温度は融解温度よりも約１〜１０度低くなる。キャリア材料類の非限定例としては、エチレンビスアミド類、一級アルキルアミド類、アルカノールアミド類、ポリアミド類、少なくとも１２個の炭素原子を含有するアルコール類、少なくとも１２個の炭素原子のアルキル鎖を含有するアルコキシル化アルコール類、少なくとも１２個の炭素原子を含有するカルボン酸類、及びこれらの誘導体類が挙げられる。代表的なキャリア材料類及びキャリア材料類と布地ケア成分類とを含む製品類は、米国特許ＵＳ２００３／１，１９５，１３０Ａ１（レントシュ（Lentsch）ら）に記載されている。
【００３４】
ポリオール系布地ケア物質類
本明細書で使用するとき、用語「ポリオール」は、少なくとも２つの遊離のヒドロキシル基を含有する脂肪族又は芳香族化合物を意味する。本明細書に開示される方法を実施する際に、好適なポリオールの選定は単に選択の問題である。例えば、好適なポリオール類は、以下の部類から選択される主鎖を有していてもよい：飽和又は不飽和の、直鎖若しくは分枝鎖又は環状（複素環式を包含）の、脂肪族又は芳香族（単核若しくは多核性芳香族類を包含）。代表的なポリオール類としては、炭水化物類（例えば、糖類）、グリコール類（例えば、グリセリン）及びこれらの誘導体（例えば糖アルコール類）が挙げられる。本明細書に用いるのに好適な単糖類としては、マンノース、ガラクトース、アラビノース、キシロース、リボース、アピオース、ラムノース、プシコース、フルクトース、ソルボース、タジトース（tagitose）、リブロース、キシルロース、グルコース、及びエリスルロースが挙げられるが、これらに限定されない。本明細書に用いるのに好適なオリゴ糖類としては、マルトース、コージビオース、ニゲロース、セロビオース、ラクトース、メリビオース、ゲンチオビオース、ツラノース、ルチノース、トレハロース、スクロース、及びラフィノースが挙げられるが、これらに限定されない。本明細書に用いるのに好適な多糖類としては、アミロース、グリコーゲン、セルロース、キチン、イヌリン、アガロース、キシラン類、マンナン、及びガラクタン類が挙げられるが、これらに限定されない。本明細書に用いるのに好適な糖アルコール類としては、ソルビトール、エリスリトール、アラビトール、キシリトール、トレイトール、ペンタエリスリトール、マンニトール及びガラクチトールが挙げられるが、これらに限定されない。
【００３５】
糖エーテル類、アルコキシル化ポリオール類、例えばポリエトキシグリセロール、ペンタエリスリトール、及びグルコサミンなどのアミン類を含有する他のポリオール類を包含する他の種類のポリオール系物質類も本明細書での使用に好適である。
【００３６】
これらのポリオール系物質類は、布地表面を改質し、布地ケア効果を提供する能力を有する。ポリオールの誘導体化又は官能化は、様々な布地ケア用途に有効であるように設計される。官能化手法の例としては、これらに限定されないが、エステル化、エーテル化、アルキル化、アミド化、アミン化、及びその他の連結化学が挙げられる。
【００３７】
典型的な布地ケア効果としては、これらに限定されないが、以下を挙げてもよい：柔軟性、手触り及び快適性などの布地の感触の向上；皺減少又は皺防止；アイロンがけし易さ；布地の色の向上；磨耗耐性；布地形状保持（弾性、非収縮性；非伸長性）；静電気の減少；リントの減少；より早い乾燥；増白；染みをはじく性質が挙げられる。
【００３８】
本明細書で使用するのに好適なポリオール系物質類は、以下の一般式を有していてよく：
Ｍ（ＯＨ）ｗ−ｓＱｓ
式中、Ｍ（ＯＨ）ｗは、上記に定義されたようなポリオールであり；前記ポリオールの分子量は約１５０〜約５０，０００ダルトン、好ましくは約１５０〜約２０，０００ダルトン、より好ましくは約１５０〜約５０００ダルトンであり；
ＱはポリオールのＯＨ基の１以上を置き換える置換基類であり、Ｑは−ＯＣ（Ｏ）Ｒ１、−ＯＲ２、−Ｒ３、−ＬＲ４、−Ｘ、−Ｆ、−Ｃｌ、−Ｂｒ、及びこれらの混合物から成る群から選択され；式中、Ｒ１、Ｒ２、Ｒ３及びＲ４は独立して直鎖又は分枝鎖、環式又は非環式、飽和又は不飽和、置換又は非置換のＣ１〜Ｃ２２アルキル又はＣ１〜Ｃ３０アルコキシから選択される部分であり；
ＬはＯ、Ｓ、Ｎ、及びＰから選択される連結部であり；
Ｘは、独立してＯ、Ｎ、Ｓ、Ｐ、及びＳｉから選択されるヘテロ原子を有する、３〜８員の複素環式部分であり；
ｗは、２〜１０００、好ましくは２〜５００、より好ましくは２〜１００、最も好ましくは２〜２０から選択される整数であり；並びに
ｓは、ｗと等しいかｗよりも小さな整数である。
【００３９】
一実施形態では、ポリオール系布地ケア物質は、エステル部分へと誘導される１以上のヒドロキシル基を有するスクロース分子で構成されるスクロースエステルを含む。スクロースは次式を有する二糖類である：
【化１】
2008512581.tif 000002
【００４０】
あるいは、スクロース分子は、次の式によって表すことができる：Ｍ（ＯＨ）８、式中、Ｍは二糖主鎖を表し、分子中に合計で８個のヒドロキシル基がある。したがって、スクロースエステルは次式によって表すことができる：
Ｍ（ＯＨ）８−ｘ（ＯＣ（Ｏ）Ｒ１）ｘ
式中、Ｒ１部分は独立して、直鎖又は分枝鎖、環式又は非環式、飽和又は不飽和、置換又は非置換のＣ１〜Ｃ２２アルキル又はＣ１〜Ｃ３０アルコキシであり；及びｘはエステル化されたヒドロキシル基の数であり、（８−ｘ）は変性されていないヒドロキシル基の数であり；したがってｘは１〜８、又は２〜８、又は３〜８、又は４〜８から選択される整数である。
【００４１】
一実施形態では、Ｒ１部分は、独立して選択された様々な鎖長を有する直鎖アルキル又はアルコキシ部分を含む。例えば、Ｒ１は、直鎖の約２０％より多くがＣ１８であり、又は直鎖の約５０％より多くがＣ１８であり、又は直鎖の約８０％より多くがＣ１８である直鎖アルキル又はアルコキシ部分の混合物を含んでもよい。
【００４２】
別の実施形態では、Ｒ１部分は、飽和及び不飽和アルキル又はアルコキシ部分の混合物を含み、不飽和度は、「ヨウ素価」（本明細書では以下「ＩＶ」と称し、標準のＡＯＣＳ法によって測定される）によって測定することができる。本明細書に用いるのに好適なポリオール系布地ケア物質のＩＶは、約１〜約１５０、又は約５〜約１００、又は約３０〜約８５の範囲である。
【００４３】
別の実施形態では、Ｒ１部分は不飽和度を減少させるために水素添加されてもよい。不飽和度を低くするか又はＩＶを低くすることによってポリオール系布地ケア物質類で処理された布地物品の黄ばみが減少されると考えられている。不飽和度を減少させるための典型的な方法は熱、圧力、又はその双方の適用下で水素添加することである。代表的な水素添加法は、米国特許第４，８０６，６３２号、米国特許第５，３６０，９２０号、及びそれらに開示されている参考文献に記載されている。これらの方法は、ＩＶを約２〜約１５、好ましくは約５〜約１０低くする場合がある。
【００４４】
別の実施形態では、不飽和Ｒ１部分は、不飽和結合の周りでシス形態とトランス形態の混合物を含んでいてよい。シス／トランス比は約１：１〜約５０：１、又は約２：１〜約４０：１、又は約３：１〜約３０：１、又は約４：１〜約２０：１の範囲であってよい。
【００４５】
ポリオール系布地ケア物質類は本発明の布地処理組成物中に、組成物の約１重量％〜約７０重量％、又は約２重量％〜約５０重量％、又は約３重量％〜約３０重量％の濃度で存在する。
【００４６】
付着剤類
一般に非イオン性布地ケア物質類の付着は、反対に荷電された種の強いイオン的相互作用がないためアニオン性洗剤構成成分類のキャリーオーバーに影響されにくいと考えられており、本発明者らは本明細書に記載された非イオン性の布地ケア物質類をアニオン性の種と（イオン的及び双極子相互作用を介して）相互作用できる特定の付着剤類と組み合わせることで非イオン性の布地ケア物質類の付着を顕著に改善し、及び処理された布地に、より良好な布地ケア効果を付与することを発見して驚いている。
【００４７】
好適な付着剤類としては、これらに限定されないが、（Ｉ）（ａ）主鎖又はペンダント基に窒素部分を有する非環式ポリマー類又はコポリマー類、又は（ｂ）ペンダント基に窒素複素環を有するビニルポリマー類又はコポリマー類である、非四級物質類；（ＩＩ）非多糖ポリクアテルニウム類及びその他の高分子カチオン性四級物質類；及びこれらの混合物が挙げられる。
【００４８】
本明細書での使用に好適な付着剤類は、一般に約１０００〜約１，０００，０００ダルトン、又は約１０００〜約２００，０００ダルトン、又は約２５００〜約１，０００，０００ダルトン、又は約５０００〜約５００，０００ダルトンの範囲の重量平均分子量を有する高分子物質類である。幾つかの実施形態では、付着剤はポリアクリルアミド又はそれらの誘導体類であり、付着剤の重量平均分子量は約１，０００，０００〜約１５，０００，０００ダルトンである。
【００４９】
存在する場合、各付着剤は、合計の組成物重量に基づいて、以下の濃度のうちの１つで含まれる、約０．１重量％〜約２０重量％、好ましくは約０．２重量％〜約１５重量％、より好ましくは約０．２重量％〜約１０重量％、及び最も好ましくは約０．２重量％〜約５重量％。
【００５０】
本発明の幾つかの実施形態では、好適な付着剤類はアミン、イミン、アミド、イミド、アクリルアミド、メタクリルアミド、アミノ酸、及びこれらの混合物が挙げられるがこれらに限定されない、窒素部分を有するモノマー類から誘導される非環式ポリマー類又はコポリマー類である。好適な付着剤類の非限定例を以下に記載する：
窒素部分を有する非環式ポリマー類又はコポリマー類
ａ）ポリビニルアミン（ＰＶＡｍ）
【化２】
2008512581.tif 000003
この高分子物質の例は、カチオファスト（Catiofast）（登録商標）ＰＲ８０８５、ＰＲ８１０６、ＰＲ８１３４として入手可能であり、これらはすべてＢＡＳＦから入手可能であり及び通常は製紙業界で架橋剤又は凝集剤として使用される。
【００５１】
ｂ）ポリエチレンイミン（ＰＥＩ）
【化３】
2008512581.tif 000004
この高分子物質の例は、ＢＡＳＦからルパソール（Lupasol）（登録商標）及びポリミン（Polymin）（登録商標）として入手可能であり、又はカチオファスト（Catiofast）（登録商標）ＰＬ、ＳＦ、ＧＭ、ＰＲ８１３８として入手可能であり、これらはすべてＢＡＳＦから入手可能であり及び通常は製紙業界において架橋剤若しくは凝集剤として使用される。
【００５２】
ｃ）グラフト化及び架橋ポリアミド−ポリエチレンイミン
【化４】
2008512581.tif 000005
【００５３】
ｄ）エトキシル化ポリエチレンイミン（ＰＥＩ−Ｅ）
【化５】
2008512581.tif 000006
式中、ｘ＝１〜４０
【００５４】
ｅ）ポリアクリルアミド
【化６】
2008512581.tif 000007
【００５５】
ｆ）ポリ（２−ジメチルアミノエチルメタクリレート）
【化７】
2008512581.tif 000008
【００５６】
ｇ）ポリ（アミノ酸類）：例えば、ポリリシンは次式を有する：
【化８】
2008512581.tif 000009
ポリ（アミノ酸類）の追加の例は以下から成る群から選択される：
（１）塩基性アミノ酸類のホモ縮合体類、前記アミノ酸類はリシン、オルニチン、アルギニン、及びトリプトファンから成る群から選択される；
（２）塩基性アミノ酸類の共縮合体類、前記アミノ酸類は、リシン、オルニチン、アルギニン、及びトリプトファンから成る群から選択される；
（３）１以上の塩基性アミノ酸類と１以上の共縮合可能な化合物類との反応から生成されるコポリマー類；
（４）１以上の（１）からのホモ縮合体類又は（２）からの共縮合体類と１以上の共縮合可能な化合物類との反応から生成されるコポリマー類；
（５）架橋された塩基性アミノ酸含有ポリマー類、前記架橋ポリマー類は以下を含む：
ｉ）１以上の塩基性アミノ酸類；
ｉｉ）（ｉ）と１以上の共縮合可能な化合物類とのコポリマー類；
ｉｉｉ）任意で１以上の（１）からのホモ縮合体類又は（２）からの共縮合体類と１以上の共縮合可能な化合物類との反応から生成されるコポリマー類；及び
ｉｖ）１以上の架橋ユニット；
ここで、少なくとも１つの架橋ユニットは少なくとも２つの官能基類を含む架橋剤から誘導される；
（６）以下から成る群から選択される１以上の化合物類の反応から形成される共縮合体類：
ｉ）塩基性アミノ酸類；
ｉｉ）共縮合可能な化合物類；
ｉｉｉ）架橋剤類；及び
（７）これらの混合物。
【００５７】
ｈ）ポリリシンアミノカプロン酸誘導体類
【化９】
2008512581.tif 000010
【００５８】
窒素複素環式ペンダント部分を有するビニルポリマー類又はコポリマー類
本発明の幾つかの実施形態では、好適な付着剤類は、次式を有する窒素複素環式ペンダント部分を有するビニルモノマー類から誘導されるビニルポリマー類又はコポリマー類である：
【化１０】
2008512581.tif 000011
式中、Ｒ１、Ｒ２は独立して水素、ハロゲン、線状又は環状、飽和又は不飽和のＣ１〜Ｃ４アルキル（alky）又はアルコキシ、置換又は非置換フェニル、ベンジル、ナフチル（naphthayl）又は複素環類、及びこれらの混合物であり；Ｚは窒素複素環式Ｎ−酸化物類を包含する窒素複素環類である。
【００５９】
これらの付着剤類の非限定例を以下に記載する：
ａ）ポリビニルピロリドン（ＰＶＰ）
【化１１】
2008512581.tif 000012
ｂ）ポリビニルピリジン
【化１２】
2008512581.tif 000013
ｃ）ポリビニルピリジン−Ｎ−酸化物(ＰＶＮＯ）
【化１３】
2008512581.tif 000014
ｄ）ポリビニルピロリドンビニルイミダゾール（Imadazole）（ＰＶＰＶＩ）
【化１４】
2008512581.tif 000015
ｅ）ビニルピロリドン及びジメチルアミノエチルメタクリレートのコポリマー類
【化１５】
2008512581.tif 000016
【００６０】
非多糖ポリクアテルニウム類及びその他の高分子カチオン性四級物質類
本発明の幾つかの実施形態では、好適な付着剤類は非多糖ポリクアテルニウム類、その他の高分子カチオン性四級物質類又はこれらの混合物である。本明細書で使用するとき、用語「ポリクアテルニウム−ｘ」はＩＮＣＩ（化粧品原料の国際命名法（International Nomenclature Cosmetic Ingredient））のものと同一の意味を有する。これらのカチオン性四級物質類は、ハロゲン又はＳＯ３ＣＨ３−を包含するがこれらに限定されないアニオン類と対にすることができる。これらの付着剤類の非限定例を以下に記載する：
ａ）ポリクアテルニウム−２：
【化１６】
2008512581.tif 000017
この高分子物質の例は、ミラポール（Mirapol）（登録商標）Ａ−１５として（ローディア（Rhodia）から）入手可能である。
【００６１】
ｂ）ポリクアテルニウム−６：Ｎ，Ｎ−ジメチル−Ｎ−２−プロペン−１−アンモニウムクロライドホモポリマー（ＰＤＡＤＭＡＣ）
【化１７】
2008512581.tif 000018
この高分子材料の例は、マークワット（Merquat）（登録商標）１００として（カルゴン（Calgon）から）、パーコル（Percol）（登録商標）３７０、又はマグナフロク（Magnafloc）（登録商標）３７０として（チバ（CIBA）から）入手可能である。
【００６２】
ｃ）ポリクアテルニウム−７：アクリルアミド及びＮ，Ｎ−ジメチル−Ｎ−２−プロペン−１−アンモニウムクロライドのコポリマー
【化１８】
2008512581.tif 000019
この高分子物質の例は、マークワット（Merquat）（登録商標）５５０として（カルゴン（Calgon）から）又はミラポール（Mirapol）（登録商標）５５０として（ローディア（Rhodia）から）入手可能である。
【００６３】
ｄ）ポリクアテルニウム−１１：四級化されたポリ（ビニルピロリドン／ジメチルアミノエチルアクリレート）
【化１９】
2008512581.tif 000020
この高分子物質の例は、ガフクワット（Gafquat）（登録商標）７５５、７５５Ｎ、７３４として（ＩＳＰから）入手可能である。
【００６４】
ｅ）ポリクアテルニウム−１６：ポリビニルピロリドン及びイミダゾリニウムメトクロライドのコポリマー
【化２０】
2008512581.tif 000021
この高分子物質の例は、ルビクワット（Luviquat）（登録商標）ＦＣ及びルビクワット（Luviquat）（登録商標）ＨＭとして（ＢＡＳＦから）入手可能である。
【００６５】
ｆ）ポリクアテルニウム−１７：この高分子物質の例はミラポール（Mirapol）（登録商標）ＡＤ−１として（ローディア（Rhodia）から）入手可能である。
【化２１】
2008512581.tif 000022
【００６６】
ｇ）ポリクアテルニウム−１８：この高分子物質の例はミラポール（Mirapol）（登録商標）ＡＺ−１として（ローディア（Rhodia）から）入手可能である。
【化２２】
2008512581.tif 000023
【００６７】
ｈ）ポリクアテルニウム−２２：アクリル酸ナトリウム及びジメチルジアリルアンモニウムクロライドのコポリマー
【化２３】
2008512581.tif 000024
この高分子物質の例は、マークワット（Merquat）（登録商標）２８０及び２９５（カルゴン（Calgon））として入手可能である。
【００６８】
ｉ）ポリクアテルニウム−２８：ビニルピロリドン及びメタクリレートアミドプロピル／トリメチルアンモニウムクロライドのコポリマー
【化２４】
2008512581.tif 000025
この高分子物質の例はガフクワット（Gafquat）（登録商標）ＨＳ−１００（ＩＳＰ）として入手可能である。
【００６９】
ｊ）ポリアクリルアミドエチルトリメチルアンモニウムカチオンのようなカチオン性ポリアクリルアミド
【化２５】
2008512581.tif 000026
この高分子物質の例は、セジプア（Sedipur）（登録商標）ＣＦとして（ＢＡＳＦから）入手可能であり、ここでカチオンはクロライドアニオンと対になる。
【００７０】
ｋ）ポリ（２−アクリロイルオキシエチル）トリメチルアンモニウムカチオン、これはメチルサルフェートのようなアニオンと対にしてよい。
【化２６】
2008512581.tif 000027
【００７１】
ｌ）ポリメタクリルアミドプロピルトリメチルアンモニウムカチオン
【化２７】
2008512581.tif 000028
この高分子物質の例は、ポリケア（Polycare）（登録商標）１３３として（ローディア（Rhodia）から）入手可能であり、ここで、カチオンはクロライドアニオンと対になる。
【００７２】
ｍ）以下のようなポリアミド、ポリエーテル及びポリエチレンイミンを含有するコポリマー類：
【化２８】
2008512581.tif 000029
【００７３】
この高分子物質の例はポリミン（Polymin）（登録商標）として（ＢＡＳＦから）入手可能である。
【００７４】
分散媒質
本発明の布地処理組成物はまた、分散媒質も含む。好適な分散媒質としては、これらに限定されないが、水、Ｃ４〜Ｃ１０グリコールエーテル類、Ｃ２〜Ｃ７グリコール類、ポリエーテル類、例えばグリセリン、及びこれらの混合物から成る群から選択される水溶性溶媒類が挙げられる。
【００７５】
布地処理組成物は、その組成物の重量パーセント基準で、約３０重量％〜約９９重量％、約４０重量％〜約９０重量％、又は約５０重量％〜約７０重量％の分散媒質を含んでよい。典型的には、水は組成物の約３０重量％よりも多く、又は約６０重量％よりも多くを構成し、分散媒質の残部は水溶性又は水分散性溶媒類を含む。
【００７６】
布地処理組成物が水を含む場合には、前記組成物のｐＨは、約２〜約１０、約３〜約９、約４〜約８、又は約５．５〜約７．５の範囲内にあってよい。組成物のｐＨを調節及び／又は制御するために、以下の「補助剤物質類」に記載されているもののような一般的に既知のｐＨ緩衝剤類を使用することができる。
【００７７】
本組成物は、任意に、溶媒類を更に含むことができる。好適な溶媒類は、水溶性又は水分散性であることができ、エタノール、プロパノール、イソプロパノール、ｎ−ブタノール、ｔ−ブタノール、プロピレングリコール、エチレングリコール、ジプロピレングリコール、プロピレンカーボネート、ブチルカルビトール、フェニルエチルアルコール、２−メチル１，３−プロパンジオール、ヘキシレングリコール、グリセロール、ポリエチレングリコール、１，２−ヘキサンジオール、１，２−ペンタンジオール、１，２−ブタンジオール、１，４−シクロヘキサンジオール、ピナコール、１，５−ヘキサンジオール、１，６−ヘキサンジオール、２，４−ジメチル−２、４−ペンタンジオール、２，２，４−トリメチル−１，３−ペンタンジオール、２−エチル−１，３−ヘキサンジオール、フェノキシエタノール、又はこれらの混合物を挙げることができる。溶媒類は典型的に組成物の約２０重量％未満、好ましくは１０重量％未満の濃度で本組成物中に組み込まれる。好ましい溶媒類、とりわけ本明細書の透明な組成物に好ましい溶媒類は、ＣｌｏｇＰが約−２．０〜約２．６、好ましくは約−１．７〜約１．６、より好ましくは約−１．０〜約１．０であり、これらは米国特許出願第０９／５５４，９６９号（フランケンバッハ（Frankenbach）ら、１９９８年１１月２４日出願）（ＰＣＴ国際公開特許ＷＯ９９／２７０５０）に詳細に記載されている。
【００７８】
補助剤物質類
布地処理組成物はまた、任意の補助剤物質類を含んでもよい。補助剤物質類としては、これらに限定されないが、香料類、湿潤剤類、乳化剤類、乳化安定化剤類、粘度調整剤類、ｐＨ緩衝剤類、抗菌剤類、酸化防止剤類、ラジカルスカベンジャー類、キレート剤類、消泡剤類、及びこれらの混合物が挙げられる。
【００７９】
特に指摘した場合を除いて、各補助剤物質は任意で、総組成物の重量に基づいて、以下の濃度で存在する、約３０重量％を超えない、又は約２０重量％を超えない、又は約１０重量％を超えない濃度；及び約０．０１重量％よりも高い、又は約０．１重量％よりも高い、又は約１重量％よりも高い濃度。
【００８０】
本発明の組成物は、任意に１以上の布地ケア物質類を含んでよい。これらの布地ケア物質は、布地柔軟化、布地潤滑化、布地弛緩、持続的プレス、皺防止、皺減少、アイロンがけのし易さ、磨耗耐性、布地平滑化、耐縮充性、耐ピリング性、パリパリ感、外観の向上、外観の復活、色の保護、色の復活、耐伸縮性、着用時の形状の保持、布地弾性、布地引張り強さ、布地引き裂き強さ、静電気減少、吸水性又は撥水性、染みをはじく性質、清涼化、抗菌性、臭気防止、及びこれらの混合を包含するがこれらに限定されない１以上の布地効果を提供する。幾つかの布地ケア物質類の代表的な及び非限定的な例を以下に記載する。
【００８１】
ａ．柔軟化剤類
代表的な柔軟化剤類としては、ジエステル四級アンモニウム化合物類（ＤＥＱＡ）；ポリ四級アンモニウム化合物類；カルボン酸でエステル化され及び四級化されたトリエタノールアミン（いわゆる「エステルクワット（esterquat）」）；アミノエステルクワット類；カチオン性ジエステル類；ベタインエステル類；ベタイン類；アミンオキシド類；及びこれらの混合物が挙げられるが、これらに限定されない。これらの及び他の柔軟化剤類のより詳細な記載は、ＧＢ８０８，２６５；ＧＢ１，１６１，５５２；ＤＥ４，２０３，４８９；ＥＰ２２１，８５５；ＥＰ５０３，１５５；ＥＰ５０７，００３；ＥＰ８０３，４９８；ＦＲ２，５２３，６０６；ＪＰ８４−２７３９１８；ＪＰ２−０１１５４５；米国特許第３，０７９，４３６号；米国特許第４，４１８，０５４号；米国特許第４，７２１，５１２号；米国特許第４，７２８，３３７号；米国特許第４，９０６，４１３号；米国特許第５，１９４，６６７号；米国特許第５，２３５，０８２号；米国特許第５，６７０，４７２号；米国特許第５，７４７，４４３号；米国特許第５，７５９，９９０号；米国特許第６，３２３，１７２号；米国特許第６，３６９，０２５号；米国特許第６，４８６，１２１号；及びＰＣＴ国際公開特許ＷＯ９９／２７０５０に記載されている。
【００８２】
四級アンモニウム型柔軟剤類の非限定例は以下から成る群から選択されてよい：Ｎ，Ｎ−ジメチル−Ｎ，Ｎ−ジ（タロイルオキシエチル）アンモニウムメチルサルフェート、Ｎ−メチル−Ｎ−ヒドロキシエチル−Ｎ、Ｎ−ジ（カノイルオキシエチル（canoyloxyethyl））アンモニウムメチルサルフェート、Ｎ，Ｎ−ジタローＮ，Ｎ−ジメチルアンモニウムクロライド、Ｎ，Ｎ−ジタロイルエタノールＮ，Ｎ−ジメチルアンモニウムクロライド、及びこれらの混合物。これらの及び他の四級アンモニウム型柔軟剤類は商標名アドゲン（Adogen）（登録商標）、リウェオクワット（Reweoquat）（登録商標）、バリソフト（Varisoft）（登録商標）で（すべてデグサ（Degussa）から入手可能）及びアーモソフト（Armosoft）（登録商標）（アクゾ（Akzo）から）として市販されている。
【００８３】
非シリコーン布地柔軟化剤類及び付着剤類の更なる例は、ＥＰ９０２００９；ＰＣＴ国際公開特許ＷＯ９９／５８４９２；米国特許第４，１３７，１８０号；ＰＣＴ国際公開特許ＷＯ９７／０８２８４；ＰＣＴ国際公開特許ＷＯ００／７０００４；ＰＣＴ国際公開特許ＷＯ００／７０００５；ＰＣＴ国際公開特許ＷＯ０１／４６３６１；ＰＣＴ国際公開特許ＷＯ０１／４６３６３；ＰＣＴ国際公開特許ＷＯ９９／６４６６１；ＰＣＴ国際公開特許ＷＯ９９／６４６６０；ＪＰ１１−３５０３４９；ＪＰ１１−０８１１３４；及びＪＰ１１−０４３８６３に開示されている。
【００８４】
柔軟化剤類のうちのいくつかについて以下に詳細に記載する。好適なプロトン化可能なアミン類としては、以下の式Ｉを有するプロトン化可能なアミン類が挙げられ：
【化２９】
2008512581.tif 000030
式中、添字ｍは０、１、２、又は３であり；添字ｎは１、２、３、又は４であり、好ましくはｎは２又は３であり、より好ましくはｎは２であり、各Ｒは、Ｃ１〜Ｃ２２アルキル、Ｃ１〜Ｃ２２ヒドロキシアルキル又はベンジル基から独立して選択され；各Ｒ１は、Ｃ１１〜Ｃ２２の直鎖アルキル、Ｃ１１〜Ｃ２２の分枝状アルキル、Ｃ１１〜Ｃ２２の直鎖アルケニル、又はＣ１１〜Ｃ２２の分枝状アルケニルから独立して選択され；各Ｑは、カルボニル、カルボキシル、又はアミド部分を含んでよい。
【００８５】
好適なアルキル化四級アンモニウム化合物類（クワット類（quats））としては、モノ−アルキルクワット類、ジ−アルキルクワット類、トリ−アルキルクワット類、及びテトラ−アルキルクワット類、並びにある種のカチオン性界面活性剤類が挙げられる。好適なモノ−アルキルクワット類（quats）、ジ−アルキルクワット類、トリ−アルキルクワット類、及びテトラ−アルキルクワット類は、典型的に以下の式ＩＩを有しており：
【化３０】
2008512581.tif 000031
式中、添字ｍは０、１、２、３、又は４であり；添字ｎは１、２、３、又は４であり、好ましくはｎは２又は３であり、より好ましくはｎは２であり、各Ｒは、Ｃ１〜Ｃ２２アルキル、Ｃ１〜Ｃ２２ヒドロキシアルキル又はベンジル基から独立して選択され；各Ｒ１は、Ｃ１１〜Ｃ２２の直鎖アルキル、Ｃ１１〜Ｃ２２の分枝状アルキル、Ｃ１１〜Ｃ２２の直鎖アルケニル、又はＣ１１〜Ｃ２２の分枝状アルケニルから独立して選択され；Ｘ−は、クロライド、ブロミド又はメチルサルフェートのような水溶性のアニオン種であり、Ｑは、カルボニル、カルボキシル、又はアミド部分を含んでよい。
【００８６】
四級アンモニウム界面活性剤類のようなカチオン性界面活性剤類もまた、本明細書で柔軟化剤類として使用するのに好適である。好適な四級アンモニウム界面活性剤類は、モノＣ６〜Ｃ１６、好ましくはＣ６〜Ｃ１０Ｎ−アルキル又はアルケニルアンモニウム界面活性剤類から成る群から選択することができ、式中、残りのＮ位類はメチル、ヒドロキシエチル（hydroxyehthyl）、又はヒドロキシプロピル基によって置換されている。別の好ましいカチオン性界面活性剤は、四級コリンエステル類のような、四級アンモニウムアルコールのＣ６〜Ｃ１８アルキル又はアルケニルエステルである。より好ましくは、カチオン性界面活性剤類は、以下の式ＩＩＩを有し：
【化３１】
2008512581.tif 000032
式中、Ｒ１は、Ｃ８〜Ｃ１８ヒドロカルビル、好ましくはＣ８〜１４アルキル、より好ましくはＣ８、Ｃ１０又はＣ１２のアルキルであり、Ｘ−は、クロライド、ブロミド又はメチルサルフェートのような水溶性のアニオン種である。
【００８７】
他の好適な布地柔軟化物質類は、ポリアクリレート類、ポリビニルアルコール類、ポリエチレングリコール類、及び前述の物質類の誘導体類又はコポリマー類などの高分子物質類であってもよい。
【００８８】
ｂ．乳化剤類
任意で、組成物は、組成物の約０重量％〜約５重量％、又は約０．０１重量％〜約２重量％、又は約０．０５重量％〜約１重量％の乳化剤を含む。
【００８９】
幾つかの実施形態では、組成物中の乳化剤類は、非イオン性界面活性剤類、カチオン性界面活性剤類、及びこれらの混合物から成る群から選択される。他の実施形態では、組成物中の乳化剤類としては、アミンオキシド類、アルキルポリグルコシド類、セチルトリメチルアンモニウムクロライド、アルキルサルフェート類、アルキルスルホネート類、アルキルエトキシレート類、アルキルエトキシサルフェート類、及びこれらの混合物が挙げられる。
【００９０】
好適な非イオン性界面活性剤類としては、アルキレンオキシド基類と有機の疎水性部分との縮合によって生成される、前記部分は脂肪族又はアルキル芳香族の性質であることができる特定の界面活性剤類；シリコーンコポリオール類；及びこれらの混合物が挙げられる。好適な非イオン性界面活性剤類の例としては、これらに限定されないが、アルキルフェノールエトキシレート類、ポリエチレングリコール／ポリプロピレングリコールブロックコポリマー類、脂肪族アルコール及び脂肪酸エトキシレート類、長鎖第三級アミンオキシド類、アルキル多糖、ポリエチレングリコール（ＰＥＧ）グリセリル脂肪酸エステル類、及びこれらの混合物が挙げられる。
【００９１】
本明細書で用いるのに好適なエトキシル化界面活性剤の他の例としては、アルキルエトキシレート類、カルボキシル化アルコールエトキシレート類；エトキシル化四級アンモニウム界面活性剤類；及びエトキシル化アルキルアミン類が挙げられるが、これらに限定されない。エトキシル化界面活性剤類の非限定例を以下に示す：
以下を包含する非イオン性界面活性剤類の非限定例：
ａ）Ｃ９〜Ｃ１８アルキルエトキシレート類、例えばシェル（Shell）からのネオドール（Neodol）（登録商標）非イオン性界面活性剤類；
ｂ）Ｃ６〜Ｃ１８アルキルエトキシレート類、例えばダウ・ケミカル（Dow Chemical）からのテルギトール（Tergitol）（登録商標）非イオン性界面活性剤類；
ｃ）アルコキシラートユニット類がエチレンオキシ及びプロピレンオキシユニット類の混合物であるＣ６〜Ｃ１２アルキルフェノールアルコキシラート類；
ｄ）Ｃ１２〜Ｃ１８アルコール及びＣ６〜Ｃ１２アルキルフェノールのエチレンオキシド／プロピレンオキシドブロックポリマー類との縮合体類、例えばＢＡＳＦからのプルロニック（PLURONIC）（登録商標）；
ｅ）米国特許第６，１５０，３２２号で論じられているような、Ｃ１４〜Ｃ２２中鎖分枝状アルコール類、ＢＡ；
ｆ）米国特許第６，１５３，５７７号、米国特許第６，０２０，３０３号、及び米国特許第６，０９３，８５６号で論じられているような、Ｃ１４〜Ｃ２２中鎖分枝状アルキルアルコキシラート類、ＢＡＥｘ、式中、ｘは１〜３０；
ｇ）米国特許第６，４８２，９９４号、ＰＣＴ国際公開特許ＷＯ０１／４２４０８、及びＰＣＴ国際公開特許ＷＯ０１／４２４０８で論じられているような、エーテルで末端保護されたポリ（オキシアルキル化）アルコール界面活性剤類；並びに
ｈ）脂肪酸（Ｃ１２〜１８）ソルビタンエステル類、スパン（SPAN）（登録商標）、及びそれらのエトキシル化（ＥＯ５〜１００）誘導体類、ポリソルベート類；例えば、スパン（SPAN）（登録商標）２０、トウィーン（TWEEN）（登録商標）２０、トウィーン（TWEEN）（登録商標）６０、トウィーン（TWEEN）（登録商標）８０（ユニケマ（Uniqema）から市販されている）。
【００９２】
エトキシル化界面活性剤のその他の例には、カルボキシル化アルコールエトキシレート類、エトキシル化四級アンモニウム界面活性剤類、及びエトキシル化アルキルアミン類が挙げられる。
【００９３】
好適なカチオン性界面活性剤類としては、２６個までの炭素原子を有することができる四級アンモニウム界面活性剤類が挙げられるが、これらに限定されない。
ａ）米国特許第６，１３６，７６９号で論じられているような、アルコキシラート四級アンモニウム（ＡＱＡ）界面活性剤類；
ｂ）第６，００４，９２２号で論じられているような、ジメチルヒドロキシエチル四級アンモニウム；
ｃ）ＰＣＴ国際公開特許ＷＯ９８／３５００２、ＷＯ９８／３５００３、ＷＯ９８／３５００４、ＷＯ９８／３５００５、及びＷＯ９８／３５００６で論じられているような、ポリアミンカチオン性界面活性剤類；
ｄ）米国特許第４，２２８，０４２号、同第４，２３９，６６０号、同第４，２６０，５２９号、及び米国特許第６，０２２，８４４号で論じられているようなカチオン性エステル界面活性剤類；並びに、
ｅ）米国特許第６，２２１，８２５号及びＰＣＴ国際公開特許ＷＯ００／４７７０８で論じられているようなアミノ界面活性剤類、特に、アミドプロピルジメチルアミン（ＡＰＡ）。
【００９４】
ｃ．エマルション安定化剤類
任意で組成物は、組成物の約０重量％〜約１０重量％、又は約０．１重量％〜５重量％、又は約０．５重量％〜約２重量％のエマルション安定化剤を含む。
【００９５】
幾つかの実施形態では、エマルション安定化剤類として、エトキシル化テレフタレート、アラビノガラクタン、エトキシル化ポリエチレンイミン類、及びこれらの混合物が挙げられるが、これらに限定されない。他の実施形態では、エマルション安定化剤類として、テレフタレートとポリエチレンオキシド又はポリプロピレンオキシドとのコポリマーブロック類、及び同種のものが挙げられるが、これらに限定されない。更なる好適なエマルション安定化剤類は、米国特許第５，５７４，１７９号及び４，７０２，８５７号に更に詳細に記載されている。これらのエマルション安定化剤類の例としては、市販の物質類ゼルコン（ZELCON）（登録商標）４７８０（デュポン（DuPont）から）及びミリーズ（MILEASE）（登録商標）Ｔ（ＩＣＩから）が挙げられる。好適なエマルション安定化剤類は、米国特許第４，９５６，４４７号に記載されているもののようなカチオン性官能基類もまた含有してよい。
【００９６】
ｄ．他の補助剤成分類
粘度調整剤類の非限定例としては、ＣａＣｌ２、ＭｇＣｌ２、ＮａＣｌなどの塩類、グアーガム、多糖類、及びこれらの混合物が挙げられる。他のアルカリ又はアルカリ土類金属カチオン類及びハライドアニオン類及び同様のものを含有する他の塩類も好適である。
【００９７】
ｐＨ緩衝剤類の非限定例としては、クエン酸、乳酸、コハク酸、リン酸、重炭酸ナトリウム、及びこれらの混合物が挙げられる。
【００９８】
抗菌剤類としては、商品名ユニクワット（Uniquat）（登録商標）として（ロンザ（Lonza）から）入手可能なジデシルジメチルアンモニウムクロライド、商品名プロキセル（Proxel）（登録商標）として（ゼネカ社（Zeneca Inc.）から）入手可能な１，２−ベンズイソチオゾリン（benzisothiozolin）−３−オン、商品名ダントガード（Dantoguard）（登録商標）として（ロンザ（Lonza）から）入手可能なジメチロール−５，５−ジメチルヒダントイン、及び商品名カトン（Kathon）（登録商標）として（ローム・アンド・ハース（Rohm and Haas）から）入手可能な５−クロロ−２−メチル−４−イソチアゾリン−３−オン／２−メチル−４−イソチアゾリン−３−オンが挙げられる。
【００９９】
酸化防止剤類としては、酢酸トコフェロール類、キニーネ類、ポリフェノール類及びこれらの混合物が挙げられるが、これらに限定されない。
【０１００】
ラジカルスカベンジャー類としては、没食子酸プロピル、ポリイミン類、トリメトキシ安息香酸及びこれらの混合物が挙げられるが、これらに限定されない。
【０１０１】
キレート剤類としては、ジエチレントリアミン五酢酸、エチレンジアミン四酢酸（teraacetic acid）、ジエチレントリアミンペンタメチルエチレンリン酸（phosphomic acid）、クエン酸及びこれらの混合物が挙げられるが、これらに限定されない。
【０１０２】
消泡剤としては、シリコーンオイル類、エトキシル化界面活性剤類、テトロニクス（Tetronics）（登録商標）（ＢＡＳＦから入手可能）及びこれらの混合物が挙げられるが、これらに限定されない。
【０１０３】
非イオン性界面活性剤類の非限定例としては以下が挙げられる：香料物質類は、以下の香料物質の供給元である、フィルメニッヒ（Firmenich）（スイス、ジュネーブ（Geneva））、ジボダン（Givaudan）（フランス、アルジャントゥーユ（Argenteuil））、ＩＦＦ（ニュージャージー州ヘーズレット（Hazlet））、クエスト（Quest）（ニュージャージー州マウントオリーブ（Mount Olive））、ベドーキアン（Bedoukian）（コネチカット州ダンベリー（Danbury））、シグマ・アルドリッチ（Sigma Aldrich）（ミズーリ州セントルイス（St.Louis））、ミレニアム・スペシャルティ・ケミカルズ（Millennium Specialty Chemicals）（イリノイ州オリンピアフィールズ（Olympia Fields））、ポラロン・インターナショナル（Polarone International）（ニュージャージー州ジャージーシティ（Jersey City））、フレグランス・リソーシズ（Fragrance Resources）（ニュージャージー州キーポート（Keyport））、及びアロマ＆フレーバー・スペシャルティーズ（Aroma & Flavor Specialties）（コネチカット州ダンベリー（Danbury））のうちの１つ以上から得ることができる。
【０１０４】
好適な粒子状物質類としては、ポリマー粒子類、粘土類、タルク類、ゼオライト類及びこれらの混合物のような無機又は有機の微粒子類が挙げられる。好適なポリマー粒子類は、通常、平均粒径が約１０ミクロン未満、好ましくは５ミクロン未満、より好ましくは約１ミクロン未満である。こうした粒子類は、ポリエチレン、ポリスチレン、ポリプロピレン、及びこれらの混合物を含んでいてよい。好適な粘土物質類としては、スメクタイト粘土類、例えば、葉蝋石、モンモリロナイト、ヘクトライト、サポナイト及びバーミキュライト、並びに雲母類のような２：１の層構造を有するフィロシリケート粘土類が挙げられる。特に好適な粘土物質類としては、米国特許第４，０６２，６４７号に記載のスメクタイト粘土類が挙げられる。布地柔軟化の目的に好適な粘土物質類の他の開示としては、欧州特許明細書ＥＰ２６５２８−Ａ１、米国特許第３，９５９，１５５号、及び米国特許第３，９３６，５３７号が挙げられる。
【０１０５】
他の好適な補助剤物質類としては、これらに限定されないが、ベンジルアルコール、メチルパラベン、プロピルパラベン及びイミダゾリジニル尿素のような防腐剤類；マグネシウム／アルミニウムシリケートのような懸濁剤類；エチレンジアミン四酢酸二ナトリウムのような金属イオン封鎖剤類；及び、特定のトリグリセリド類、鉱油類のような特定の合成又は天然由来の油類及び／又は脂肪類、並びにこれらの混合物が挙げられる。補助剤物質類として本明細書に用いるのに好適な油脂類の具体例としては、これらに限定されないが；すべて様々な水素添加レベルをもつ牛脂、パーム油、綿実油、キャノーラ油及び大豆油からのトリグリセリド類；パラフィン油類、並びにこれらの混合物が挙げられる。
【０１０６】
追加の補助剤物質類としては、これらに限定されないが、皺減少剤／防止剤、静電気防止剤、結晶調節剤、汚れ放出剤／防止剤、着色剤、光沢剤、臭気減少剤／除去剤、脱臭剤／清涼剤、染みはじき剤、色向上剤、香料放出剤及び／又は送達剤、形状保持剤、繊維再構築剤、繊維補修剤、及びこれらの混合物が更に挙げられる。
【０１０７】
好適な補助剤類の更なる例及び使用濃度は、米国特許第６，６５３，２７５号に見出される。
【０１０８】
好適な補助剤物質類は、メイザー・ケミカルズ（Mazer Chemicals）（米国イリノイ州ガーニー（Gurnee））、クラリアント社（Clariant Corporation）（スイス、グラットブルグ（Glattbrugg））、ローディア社（Rhodia Incorporated）（米国ニュージャージー州クランベリー（Cranbury））、スケア・ケミカルズ社（Scher Chemicals,Inc.）（米国ニュージャージー州クリフトン（Clifton））、ダウ・コーニング社（Dow Corning Corporation）（米国ミシガン州ミッドランド（Midland））、及びゼネラル・エレクトリック社（General Electric Company）（米国コネチカット州フェアフィールド（Fairfield））、ウイトコ社（Witco Corporation）（米国コネチカット州ミドルベリ（Middlebury））、デグサ−ヒュルズ（Degussa-Huls）（ドイツ、マール（Marl））、ＢＡＳＦ（米国ニュージャージー州マウントオリーブ（Mount Olive））、シグマ−アルドリッチ（Sigma-Aldrich）（米国ミズーリ州セントルイス（St. Louis））、２０ミクロンズ社（Microns Ltd.）（インド、バローダ（Baroda））、及びツイン・リバーズ・テクノロジーズ（Twin Rivers Technologies）（米国マサチューセッツ州クインシー（Quincy））から市販されている。
【実施例】
【０１０９】
以下の組成物は、本発明で有用な、ポリオール系布地ケア物質類及び付着ポリマーを含む布地処理組成物の例である：
【表１】
2008512581.tif 000033
ａ  スクロース脂肪酸エステル−１＝大豆油から誘導され、各スクロースにおいて平均エステル化度が７．５であるスクロース脂肪酸エステル。
ｂ  スクロース脂肪酸エステル−２＝大豆油から誘導され、各スクロースにおいて平均エステル化度が４であるスクロース脂肪酸エステル。
ｃ  ＣＴＭＡＣ＝セチルトリメチルアンモニウムクロライド。
ｄ  エチレンオキシドを用いて２，６，８−トリメチル−４−ノナノールから誘導された非イオン性界面活性剤。
ｅ  ＢＡＳＦからのポリビニルアミン（ＰＶＡｍ）。
ｆ  ＢＡＳＦからのポリエチレンイミン（ＰＥＩ）。
ｇ  ポリクアテルニウム−６：チバ（Ciba）からのＮ，Ｎ−ジメチル−Ｎ−２−プロペン−１−アンモニウムクロライドホモポリマー（ＰＤＡＤＭＡＣ）。
ｈ  カチオン性ポリアクリルアミド：ＢＡＳＦからのセジプア（Sedipur）（登録商標）ＣＦ８０３。
ｉ  プロキセル（Proxel）（登録商標）＝１，２−ベンズイソチオゾリン（Benzisothiozolin）−３−オン。
ｊ  ダントガード（Dantoguard）（登録商標）＝ジメチロール−５，５−ジメチルヒダントイン。
ｋ  ＴＭＢＡ＝トリメトキシ安息香酸。
ｌ  ＤＴＰＡ＝ジエチレントリアミン五酢酸ナトリウム
【０１１０】
以下の組成物は、本発明で有用な、ポリオール系布地ケア物質類、付着ポリマー、及び補助剤布地ケア物質類を含む布地処理組成物の例である：
【表２】
2008512581.tif 000034
ａ、ｂ、ｃ、ｉ、ｊ、ｋ、及びｌは上述の例と同一である。
ｍ  ＤＴＤＭＡＣ＝ジタロウジメチルアンモニウムクロライド。
ｎ  ＤＥＥＤＭＡＣ＝ジタロイルエタノールエステルジメチルアンモニウムクロライド。
ｏ  ＴＥＥＭＡＭＳ＝トリエタノールアミンエステルメチルアンモニウムメチルサルフェート。
ｐ  ＢＡＳＦからのポリビニルアミン（ＰＶＡｍ）。
ｑ  ＢＡＳＦからのポリエチレンイミン（ＰＥＩ）。
【０１１１】
本明細書全体を通じて記載されるあらゆる最大数値限定は、それより小さいあらゆる数値限定を、そのような小さい数値限定が本明細書に明確に記載されているかのように包含することを理解すべきである。本明細書全体を通じて記載される最小数値限定は、それより大きいあらゆる数値限定を、そのような大きい数値限定が本明細書に明確に記載されているかのように含む。本明細書全体を通じて記載される数値範囲は、そのようなより広い数値範囲内に入るそれよりも狭いあらゆる数値範囲を、そのようなより狭い数値範囲が全て本明細書に明確に記載されているかのように包含する。
【０１１２】
すべての引用された文献は、関連部分において、参考として本明細書に組み込まれるが、いずれの文献の引用も、それが本発明に関して先行技術であることを承認するものとして解釈されるべきではない。この文書における用語のあらゆる意味又は定義が、参考として組み込まれる文献における用語のあらゆる意味又は定義と対立する範囲内においては、本文書における用語に与えられた意味又は定義が適用される。
【０１１３】
本発明の特定の実施形態が説明及び記載されてきたが、本発明の精神及び範囲から逸脱することなく他の様々な変更及び修正を行えることが当業者には明白であろう。したがって、本発明の範囲内にあるそのようなすべての変更及び修正を、添付の特許請求の範囲で扱うものとする。
【国際調査報告】
2008512581.tif 000035
2008512581.tif 000036
2008512581.tif 000037